(57)【要約】【課題】バッチ式でありながら、いつでも生ゴミを投入することができ、しかも、稼働の開始時点や稼働時間を自由に決めることができる生ゴミ処理機を提供する。【解決手段】処理室２と処理待機室３とに区画され、処理室２での生ゴミの処理後、処理待機室３の生ゴミが処理室２に送り込まれるようになされている。また、処理待機室３は処理室２の上部に備えられ、処理待機室３と処理室２との間を開閉する開閉蓋４が備えられ、開閉蓋４を開くことで、処理待機室３の生ゴミが処理室２に投入されるようになされている。更に、一次脱水室５が備えられ、該一次脱水室５に生ゴミを投入し脱水後、該生ゴミが処理待機室３に送り込まれるようになされている。【選択図】      図１
2005104669.tif 000002
【特許請求の範囲】
【請求項１】
処理室と処理待機室とに区画され、処理室での生ゴミの処理後、処理待機室の生ゴミを処理室に送り込む構成となされていることを特徴とするバッチ式生ゴミ処理機。
【請求項２】
処理待機室が処理室より上位に備えられると共に、処理待機室と処理室との間を開閉する開閉手段が備えられ、開閉手段を開くことで、処理待機室の生ゴミに自重による付勢作用が働いて処理室に投入されるようになされている請求項１に記載のバッチ式生ゴミ処理機。
【請求項３】
一次脱水室が備えられ、該一次脱水室に生ゴミを投入し脱水後、該生ゴミを処理待機室に送り込む構成となされている請求項１又は２に記載のバッチ式生ゴミ処理機。
【発明の詳細な説明】
【技術分野】
【０００１】
本発明は、バッチ式生ゴミ処理機に関する。
【背景技術】
【０００２】
従来より、生ゴミ処理機として、コンポスト型や減容消滅型、乾燥型、炭化型等の各種処理方式のものが提供されており、多くの場合、バッチ式の生ゴミ処理機として構成されている。
【発明の開示】
【発明が解決しようとする課題】
【０００３】
しかしながら、バッチ式の生ゴミ処理機には、特に業務用において、次のような問題がある。
【０００４】
即ち、生ゴミは、処理機の運転時間に応じた所定の時間帯にしか出すことができず、そのため、処理機が稼働している時間帯に新たな生ゴミが発生した場合には、その生ゴミを一旦どこかに保管しておかなければならない。
【０００５】
また、逆に、処理機についても、生ゴミの排出される時間帯に合わせて稼働の開始時点や稼働時間を決めていかなければならない。特に、ホテルやレストランなど、生ゴミの出される時間帯が日によって異なるような場合には、その調整が非常に厄介なものになる。
【０００６】
本発明は、上記のような従来の問題点に鑑み、バッチ式でありながら、いつでも生ゴミを投入することができ、しかも、稼働の開始時点や稼働時間を自由に決めることができる生ゴミ処理機を提供することを課題とする。
【課題を解決するための手段】
【０００７】
上記の課題は、処理室と処理待機室とに区画され、処理室での生ゴミの処理後、処理待機室の生ゴミを処理室に送り込む構成となされていることを特徴とするバッチ式生ゴミ処理機によって解決される。
【０００８】
この処理機では、処理室の他に処理待機室が備えられているので、処理室での生ゴミの処理中、新たに出される生ゴミを投入して処理待機室に待機させておくことができ、バッチ式でありながら、いつでも生ゴミを投入することができる。
【０００９】
しかも、こうして、処理と投入とが処理待機室の採用によって分離されるから、生ゴミの排出される時間帯を気にする必要がなくなり、稼働の開始時点や稼働時間を自由に決めることができる。
【００１０】
上記の処理機において、処理待機室が処理室より上位に備えられると共に、処理待機室と処理室との間を開閉する開閉手段が備えられ、開閉手段を開くことで、処理待機室の生ゴミに自重による付勢作用が働いて処理室に投入されるようになされている場合は、処理待機室から処理室への生ゴミの移送機構を簡素化して処理機のコストダウンを図ることができる。なお、自重によるこの付勢作用のみで移送が行われるようにしてもよいし、この付勢作用と他の移送手段と組み合わせるようにしてもよい。処理待機室が処理室の上部に備えられている場合は、処理機の平面サイズを小さくすることができて、処理待機室を備えるものでありながら、処理機の設置スペースを小さく抑えることができる。
【００１１】
また、上記の処理機において、一次脱水室が備えられ、該一次脱水室に生ゴミを投入し脱水後、該生ゴミを処理待機室に送り込む構成となされている場合は、処理待機室が生ゴミの水分で充満されてしまうのを防ぐことができ、処理待機室における悪臭や菌の発生を抑制することができる。
【発明の効果】
【００１２】
本発明の生ゴミ処理機は、以上のとおりのものであるから、バッチ式でありながら、いつでも生ゴミを投入することができ、しかも、稼働の開始時点や稼働時間を自由に決めることができる。
【発明を実施するための最良の形態】
【００１３】
次に、本発明の実施最良形態を図面に基づいて説明する。
【００１４】
図１に示す実施形態のバッチ式生ゴミ処理機１において、２はバッチ式の生ゴミ処理室、３は処理待機室であり、処理室２と処理待機室３とは、それらの間に設置された開閉手段としての両開き式の対の蓋４，４によって、処理待機室３を上、処理室２を下とするようにして区画されている。
【００１５】
そして、処理待機室３の側部には、これと隣接するようにして一次脱水室５が設けられると共に、この一次脱水室５に面して生ゴミ投入口６が設けられ、更に、一次脱水室５の下方に一次脱水室５で脱水された水分を回収する水分回収室７が設けられ、一次脱水室５と水分回収室７とは固液分離手段としての例えば水切りメッシュ８などによって区間されていて、生ゴミを投入口６を通じて一次脱水室５に投入するだけで、その生ゴミに含まれている水分が自重によって水分回収室７の側に流れ落ちるようになされている。
【００１６】
また、一次脱水室５は、水切りメッシュ８の備えられた底面側が処理待機室３の側に向けて傾斜しており、傾斜方向における下方の側において一次脱水室５と処理待機室３とを連絡する連絡口９が設けられ、この連絡口９には開閉手段として開閉扉１０が設置されていて、開閉扉１０で連絡口９を閉じた状態にすることにより、投入された生ゴミが一次脱水室５に保持されてその脱水が行われ、開閉扉１０で連絡口９を開くことにより、脱水された生ゴミが、一次脱水室５の底面の傾斜で処理待機室３に送り込まれるようになされている。なお、一次脱水室５からの生ゴミを処理待機室３においてその奥方へ送り込む必要がある場合には、処理待機室３に撹拌装置などを備えさせるようにするのもよい。
【００１７】
なお、処理待機室３は、一部、処理室２よりも側方に突出した部分を備え、その下方に、固液分離手段としての例えば水切りメッシュ１１などを介して水分回収室１２が備えられ、処理待機室３内で待機中の生ゴミから生じる水分が処理待機室３内に溜まらないようにされている。１３は排水口であり、回収室７に回収された水分もこの排水口１３を通じて排出されるようになされていてよい。また、一次脱水室５と処理待機室３にはそれぞれ脱臭・殺菌装置１４，１５が備えられている。
【００１８】
上記のバッチ式生ゴミ処理機１では、処理室２での生ゴミの処理中、新たに出される生ゴミを投入口６を通じて一次脱水室５に投入し、脱水後、処理待機室３に待機させておくことができ、そのため、バッチ式でありながら、いつでも生ゴミを投入することができる。しかも、こうして、処理と投入とが処理待機室３の採用によって分離されるから、生ゴミの排出される時間帯を気にする必要がなくなり、稼働の開始時点や稼働時間を自由に決めることができる。
【００１９】
また、上記の実施形態では、処理待機室３が処理室２の上部に備えられ、処理待機室３と処理室２との間に開閉蓋４，４が備えられているから、開閉蓋４，４を開くだけで、処理待機室３の生ゴミが処理室２に投入されるので、処理待機室３から処理室２への生ゴミの移送を簡素な機構で実現することができ、また、処理機１の平面サイズを小さくできて、処理待機室３を備えるものでありながら、処理機１の設置スペースを小さく抑えることができる。なお、処理室２で処理された生ゴミを排出する口は、図示しないけれども、備えられている。
【００２０】
更に、上記の実施形態では、一次脱水室５が備えられ、一次脱水室５に生ゴミを投入し脱水後、その生ゴミを処理待機室３で待機させるようにしているので、処理待機室３が生ゴミの水分で充満されてしまうのを防ぐことができ、処理待機室における悪臭や菌の発生を抑制することができる。
【００２１】
特に、上記のような一次脱水室５を備えることで、処理待機室３で脱水する場合に比べて効果的に脱水することができる。即ち、処理待機室３では、ある程度多くの量の生ゴミが待機することとなるため、処理待機室３で一次の脱水を行うと、他の待機中の生ゴミに脱水を妨げられて脱水されにくい場合を生じるのに対し、一次脱水室に投入される生ゴミは少量づつであるので、一次脱水室では他の生ゴミに脱水を妨げられることがなく、生ゴミを効果的に脱水することができる。
【００２２】
また、上記の処理機１において、処理待機室３内の生ゴミの重量を測定するセンサーを備えさせ、処理待機室３内の生ゴミの重量が設定待機重量に達したとき、投入口を閉鎖して生ゴミの投入できないようにする制御を行うようにしてもよく、その場合には、処理機内に能力を超える多くの生ゴミが無理矢理投入されてしまうのを防ぐことができる。
【００２３】
以上に、本発明の実施形態を示したが、本発明はこれに限られるものではなく、発明思想を逸脱しない範囲で各種の変更が可能である。例えば、本発明の処理機は、コンポスト型や減容消滅型、乾燥型、炭化型等のいずれの処理方式を採用するものであってもよい。
【図面の簡単な説明】
【００２４】
【図１】実施形態のバッチ式生ゴミ処理機を示す断面正面図である。
【符号の説明】
【００２５】
１…バッチ式生ゴミ処理機
２…処理室
３…処理待機室
４…蓋（開閉手段）
５…一次脱水室
６…投入口
【図１】
2005104669.tif 000003